(57)【要約】      （修正有）【課題】手動によりネジ締めネジ戻し操作する固定又は固定の解除の煩わしい作業を不要とし、小型デジタルカメラに装着した場合に、簡単にカメラの方向を、自由に設定しその傾動位置にセットすることのできるボールヘッドを提供する。【解決手段】ボトル装着用キャップ３０と、ボールを挟持収容するボール受け座板２２と押えカバー２１を含む制動ケース２０と、押えカバーから突出する上端のねじ軸を有するねじ部材１０と、ねじ部材１０に螺着される操作ハンドル４０と、制動ケース２０とボトル装着用キャップ３０を止着する止めねじとを備え、座板を介して止めねじにより止着することによりボールヘッドを組み立て、同時に、ボールの制動力を調節可能とした。【選択図】図１
0003150491.tif 000002
【実用新案登録請求の範囲】
【請求項１】
ボトル装着用キャップと、その間にねじ部材のボールを挟持収容するボール受け座板と押えカバーを含む制動ケースと、前記制動ケース内に収容された下端のボール及び前記押えカバーから突出する上端のねじ軸を有するねじ部材と、ねじ部材に螺着される操作ハンドルと、制動ケースとボトル装着用キャップを止着する止めねじとを備え、前記制動ケースのねじ軸突出する反対側に前記キャップの底面部を添え、前記キャップ内から座板を介して止めねじにより止着することにより、ボトル装着用キャップ付きボールヘッドを組み立てると同時に、前記ボール受け座板と押えカバー間に挟着されるボールの制動力を調節可能とし、ねじ部材を操作ハンドルによるその傾動操作位置に保持可能としたことを特徴とするボトル装着用キャップ付きボールヘッド。
【請求項２】
請求項１において、ボトル装着用キャップはゴム製の有底キャップであって、内周側面及び外周側面にセレーションを施し、その開口部にテーパー面を備えたことを特徴とするボトル装着用キャップ付きボールヘッド。
【請求項３】
請求項１又は２において、前記制動ケースを構成するボール受け座板及び押えカバーの挟着面は、一方のボール受け座板側を、下端が開口する半球状の湾曲面となし、他方の押えカバー側にOリングを備えることを特徴とするボトル装着用キャップ付きボールヘッド。
【請求項４】
請求項３において、ボール受け座板の下端開口に続いて、対向して止着されるゴム製有底キャップの上端対向面に凹部を形成し、両者によりボールの突出する下端の逃げ空間を形成したことを特徴とするボトル装着用キャップ付きボールヘッド。
【請求項５】
請求項１ないし４のいずれかにおいて、ねじ軸に螺着する鍔状の操作ハンドルの軸端側の表面に凹部を形成し、当該凹部にカメラ等の螺着された器具を保護する弾性受け座を嵌合装着したことを特徴とするボトル装着用キャップ付きボールヘッド。
【考案の詳細な説明】
【技術分野】
【０００１】
本考案は、簡易ボール雲台を組み立てる場合に雲台の一部品を構成するボールヘッドに係り、ボトル等を利用して簡単に雲台代わりにセットすることのできるボトル装着用キャップを備えたボトル装着用キャップ付きボールヘッドに関するものである。
【背景技術】
【０００２】
先行のボールヘッドは、球継ぎ手のボールを備える自由雲台として、そのボール部を任意の角度に調整固定するために、一般に手動操作による締結機構ないし操作体を別途付設して備えるものであった。
この場合、雲台の使用において、荷重の大きな積載物の支持には、所定の回動方向位置を確実に保持し支持固定するため、手動による締結機構ないし操作体を設置するものであり、自由雲台のねじ軸部材の傾動操作の他に、この別途設けられた手動操作手段により、その傾動位置を固定ないし固定解除の作業をする必要があった。
【０００３】
しかし、デジタルカメラ等の小型軽量のカメラの自由雲台としては、先行の重量の嵩む自由雲台ほどの堅固、強力な締め付け力を必要とするまでもなく、僅かな操作力で回動位置に移動停止できればよく、また、先行の手動による締結機構を備えた雲台では傾動操作後にその停止位置をセットする上で、セット上の煩雑さを伴うものであった。
【０００４】
かかる事情から、軽量化されたデジタルカメラにおいては、別途締め付けネジ等の煩雑な手動操作体を必要とせず、構造の単純化を図ると共に軽量化し得る自由雲台が求められていた。
【先行技術文献】
【特許文献】
【０００５】
【特許文献１】特開２００６−３１６８０２号公報（自由雲台）
【特許文献２】特開２００５−３１６０５号公報（球継ぎ手および自由雲台）
【特許文献３】特開２００４−３４１１８９号公報（自由雲台）
【考案の概要】
【考案が解決しようとする課題】
【０００６】
本考案は、上記の課題を解決するものであって、第一には、従来の手動によりネジ締めネジ戻し操作する固定又は固定の解除の煩わしい作業を不要とし、小型デジタルカメラに装着した場合に、簡単にカメラの方向を、自由に設定しその傾動位置にセットすることのできる簡易化された構造をもつボールヘッドを提供することである。
【０００７】
本考案はまた、ボールヘッドをボトル装着用キャップと一体に組み付けることにより、ペットボトルとのキャップ部分にボールヘッドと一体のボトル装着用キャップを嵌着することにより、簡易自由雲台として転用し、小型デジタルカメラを装着し、小型デジタルカメラの自由雲台として簡単に使用できる使い勝手のよいボールヘッドを提供することである。
【０００８】
さらに、本考案は、ボールヘッドの、ボトル装着用キャップとの一体化組立において、簡素化を図ると共にその止めねじによるねじ止め組立と同時に自由雲台としてのボール部の挟着力の加減された挟着を確保することのできるボールヘッドを提供する。
【課題を解決するための手段】
【０００９】
この出願の考案によれば、第一には、ボトル装着用キャップと、その間にねじ部材のボールを挟持収容するボール受け座板と押えカバーを含む制動ケースと、前記制動ケース内に収容された下端のボール及び前記押えカバーから突出する上端のねじ軸を有するねじ部材と、ねじ部材に螺着される操作ハンドルと、制動ケースとボトル装着用キャップを止着する止めねじとを備え、前記制動ケースのねじ軸突出する反対側に前記キャップの底面部を添え、前記キャップ内から座板を介して止めねじにより止着することにより、ボトル装着用キャップ付きボールヘッドを組み立てると同時に、前記ボール受け座板と押えカバー間に挟着されるボールの制動力を調節可能とし、ねじ部材を操作ハンドルによるその傾動操作位置に保持可能としたことを特徴とするボトル装着用キャップ付きボールヘッドを提供する。
【００１０】
また、本考案によれば、ボトル装着用キャップはゴム製の有底キャップであって、内周面及び外周面にセレーションを施しその開口部にテーパー面を備えたり、さらに制動ケースを構成するボール受け座板及び押えカバーの挟着面は、一方のボール受け座板側を、下端が開口する半球状の湾曲面となし、他方の押えカバー側にOリングを備えことにしたり、さらにまたボール受け座板の下端開口に続いて、対向して止着されるゴム製有底キャップの上端対向面に凹部を形成し、両者によりボールの突出する下端の逃げ空間を形成したり、またさらに、ねじ軸に螺着する鍔状の操作ハンドルの軸端側の表面に凹部を形成し、当該凹部にカメラ等の螺着された器具を保護する弾性受け座を嵌合装着したボトル装着用キャップ付きボールヘッドをも提供する。
【考案の効果】
【００１１】
本考案に係る請求項１記載のボトル装着用キャップ付きボールヘッドによれば、ボトル装着用キャップと、制動ケースを構成するボール受けと押えカバーの間に下端ボールを挟着可能に配設されると共に前記押えカバーから突出する上端のねじ軸及びこのねじ軸に螺着する鍔状の操作ハンドルを備えた制動手段とが備えられ、前記キャップ、ボール受け及び押えカバーの各部材を、座板を介して止めネジでねじ止めするだけで、ボトル装着用キャップ付きボールヘッドを簡単に組み立てることができ、同時に、前記ボール受け及び押えカバー間に挟着するボールの締め付け力を、ねじ軸の傾動操作位置に保持可能とする締め付け摩擦力として調節可能に締結組み立てることのできるボトル装着用キャップ付きボールヘッドを提供する。
【００１２】
本考案に係る請求項２記載のボトル装着用キャップ付きボールヘッドによれば、内周面及び外周面にセレーションを施し、その開口部にテーパー面を備えたゴム製の有底キャップによって、ペットボトルに装着する使用に際して、ペットボトルのキャップへの嵌着をスムースに行えるようにし、ボトル装着用キャップ付きボールヘッド自体の回転によりボトルキャップの開閉を操作する伝達機構としての機能を副次的に果たすことができる。
【００１３】
本考案に係る請求項３記載のボトル装着用キャップ付きボールヘッドによれば、制動手段を構成する下端ボールを挟着するため、ボール受けの半球状の湾曲面と押えカバー側のOリングによる単純な構造又は簡単な部品のみで済ますことができ、これによって簡単に軽量物支持制動のための挟着面を形成することができ、軽量化を図り、手軽に持ち運びできる便利な小物品として製作することができる。
【００１４】
本考案に係る請求項４記載のボトル装着用キャップ付きボールヘッドによれば、ボール受けの下端開口から突出したボールの下端の突出部分を受容する、ゴム製有底キャップの凹部への逃げの形成により、ネジ止めにより組み立てられた後の摩擦面との当りが片当りとなることがなく、制動に必要な広く均等な摩擦制動面の確保が確実に得られる。
【００１５】
本考案に係る請求項５記載のボトル装着用キャップ付きボールヘッドによれば、鍔状の操作ハンドルの表面に形成した凹部に弾性受け座を嵌合装着しているので、ネジ軸にカメラ等の螺着した時に、螺着された器具の下面接触面がその弾性受け座により保護されるので操作ハンドル面の直接接触による傷による損傷を予防することができる。また、捩じ込まれたカメラとの弾性的接合によってダブルナット機能を持たせ、ねじロックによる回り止め作用により、カメラのボールヘッドへのねじ止めした際の緩み止めによりカメラの脱落防止を図ることができる。
【図面の簡単な説明】
【００１６】
【図１】図１は本願考案に係るボールヘッドの斜視図である。
【図２】図２は本願考案に係るボールヘッドの一部縦断面図断面図である。
【図３】図３は本願考案に係るボールヘッドのキャップ内面を示す底面図である。
【図４】図４は本願考案に係るボールヘッドの使用例を示す図である。
【考案を実施するための形態】
【００１７】
図１は本願考案に係るキャップ付きボールヘッドの斜視図である。図１において、キャップ付きボールヘッドＢHは、基本的には、他端にボールを備え一端にねじ軸を備えたねじ部材１０においてそのねじ軸に操作ハンドル４０を螺着したネジ部材１０と、操作ハンドル４０により傾動可能に操作されるネジ部材１０の他端に備えた前記ボール部を内部に収容すると共に、傾動操作されたネジ部材１０をその傾動位置に制動停止するための、押えカバー２１とボール受け座板２２とを有する制動ケース２０と、この制動ケース２０に着脱可能に一体的に組み込まれるキャップ３０とからなる。
【００１８】
図２は、キャップ付きボールヘッドＢHの部分的縦断面図を示す。
ネジ部材１０は、図示上端のねじ軸１０ａと中間軸部１０ｂと下端のボール１０ｃとの一体化された部材である。ねじ軸１０ａには操作ハンドル４０が螺着される。
【００１９】
制動ケース２０は、押えカバー２１とボール受け座板２２とからなり、より詳細には、逆有底状の押えカバー２１とこの押えカバーの開口を施蓋して閉鎖するボール受け座板２１と、両部材を止着する止めネジ３５とを有する。押えカバー２１からねじ軸１０ａを突出させ、制動ケース２０内にネジ部材１０のボールを収容する形で、両部材を組み立てられたとき、押えカバー２１のねじ挿通口内面に配設されたＯリング２１ｄと、ボール受け座板２２の球面座２２ａとの間に、ネジ部材１０下端のボール１０ｃを挟着収容する。球面座２２ａの下端底には通口２２ｂが開口され、ボール１０ｃの下端の一部が突出し、ボール１０ｃの下端の環状周面が球面座２２ａにより支持され、ボール１０ｃの片当り支持を回避できる構造となっている。
【００２０】
＜制動ケースの作用効果＞
制動ケース２０内では、前記したボール１０ｃは、押えカバー２１とボール受け座板２２内の空間内に収容され、収容したボール１０ｃは押えカバー２１とボール受け座板２２の止めネジ３５による止着により、両部材間に挟着可能に収容され、この場合、前記ボール１０ｃは、押えカバー２１の天井部に形成されたねじ挿通口２１ｅの内底周面に配設されたOロング２１ｄと、ボール受け座板２２に形成された球面座２２ａにより受け止められ、ボール受け座板２２の球面座２２ａの底には、前記ボールの下端をボール受け座板から僅かに突出可能な逃げ道として形成した通口２２ｂを備えている。これによれば、ボール受け座板２２に形成された球面座２２ａの環状部分でボール１０ｃの下端支持することができるので、ボール１０ｃに安定した挟着力を加えることが可能となる。
【００２１】
＜制動操作ハンドルの作用効果＞
制動ケース２０内に収容されたボール１０ｃの反対側端部のネジ軸１０ａは、押えカバー２１の天井部に形成されたねじ挿通口２１ｅを通じて突出され、このネジ軸１０ａに操作ハンドル４０が螺着される。この操作ハンドル４０により、ネジ部材１０を傾動操作する。その際、ネジ軸１０ａに別途デジタルカメラ等を螺着セットしたとき、この操作ハンドル４０をネジ戻してデジタルカメラ側に締め付けることにより、デジタルカメラとの螺着がロックされ、デジタルカメラは緩むことなくボールヘッドＢＨに対して確実にセットすることができる。
本考案に係るボールヘッドＢＨは、さらにボトル装着用キャップ３０が取外し可能に一体的に組み込まれる。ボトル装着用キャップ３０は図面のように逆有底容器形状をしたゴム製のキャップであり、内外周側面にはセレーションが形成されている。
【００２２】
＜ボールヘッドの組立と組立時の作用効果＞
このボトル装着用キャップ３０の制動ケース２０との取付けは、ボトル装着用キャップ３０内の底に押え板３４を介在させ、押え板３４を介してボトル装着用キャップ底面部３２、ボール受け座板２２および押えカバー２１を止めネジ３５により止着することにより行われる。
ゴム製のボトル装着用キャップ３０のネジ通し孔（図示省略）は、止めネジ３５より小径の孔に形成されているので、ネジ止め作業の際、押え板を介在した止めネジは、ゴム製のボトル装着用キャップ３０のネジ通し孔に仮止めされる。したがって、止めネジの脱落がないので、ボトル装着用キャップ３０の制動ケース２０へのネジ止めによる組立作業を円滑に遂行することができる。
なお、押えカバー２１とボール受け座板２２の間に挟着されるボール１０ｃの締付け力は、前記の止めネジ３５の止着強さの加減により実行することができ、組立後のボールヘッドのねじ部材ボール１０ｃ部の摩擦力を調節することができる。
本考案によれば、ボトル装着用キャップ付きボールヘッドＢＨの組立において、ボトル装着用キャップ３０の組立と同時に、ボール１０ｃの制動摩擦力を調整しながら組み立てることができることになる。
【００２３】
＜キャップ底凹部の作用効果＞
ゴム製のボトル装着用キャップ３０の底面部３２において、そのボール受け座板側の面に凹部３２ａが形成されている。この場合、挟持組み立てられ、ボール受け座板２２の底に形成された通口２２ｂからの突出するボール１０ｃ部分は、凹部３２ａによるこの逃げ空間に収められるので、ボール受け座板２２の球面座２２ａ環状部分によるボール１０ｃの安定的な支持を保証することができる。
【００２４】
＜キャップセレーションの設置箇所とその機能＞
ゴム製のボトル装着用キャップ３０の周側面３３に形成されたセレーションは、内側面セレーション３３ａにあっては、ペットボトルの栓外周のギザと噛み合わせることにより、組立装着されたボールヘッド自体が、ペットボトルにおいてその軸周りに滑動する虞をなくすることができ、これにより回転方向における所定の装着位置を保持することができ、また外側面セレーション３３ｂにあっては、ボールヘッドＢＨにカメラを回転セット際に、ボールヘッドＢＨをキャップが供廻りしないように把持することができる。
【００２５】
＜テーパー口の作用効果＞
また、ボトル装着用キャップ３０の開口部３１は、内周挿入口部分がテーパー面３１ａとして形成されているので、ボトル装着用キャップ付きボールヘッドＢＨをキャップ付ボトルに装着する際に、テーパー面３１ａにより案内され、ボトル装着用キャップ付きボールヘッドＢＨの装着作業を容易に行うことができる。
【００２６】
＜キャップ底のねじ止め目隠しシートの貼付と効果＞
キャップ３０の底に止めネジ３５により止着された押え板３４の表面に目隠しシートを貼着することにより、ねじ止め構造部を目隠し、ねじの緩み止めを図ると共に、これによって一体化されたキャップ及び制動ケースの安易な分解・解体を防止することもできる。
【００２７】
＜弾性座板の設置と効果＞
また、ネジ軸１０ａに螺装した操作ハンドル４０のカメラねじ装着側の上面には、この上面に形成された凹部４０ａに嵌着して弾性座板４１を備えることができる。この弾性座板４１は、ネジ軸にカメラを螺装する捩じ込み作業の際に、操作ハンドル表面に傷が生成されないようにするための緩衝材であり、両者の捩じ込み時における接合面の緩み止めを図るものでもある。
【００２８】
＜使用法＞
この出願の考案により組み立てられたボトル装着用キャップ付きボールヘッドＢＨは、そのボトル装着用キャップ３０を、液体の充填されたキャップ付ボトルのキャップに挿入嵌着し、キャップ付きボールヘッドのねじ軸に、カメラ、又はカメラ用機材を固定するためのクリップを螺着し、カメラの簡易雲台、又はカメラ用機材のクリップ支持台として、三脚の準備なしに代用支持器具として身近なペットボトルを利用しての簡単な使用に供することができる。
液体の充填されたキャップ付ボトルを転倒防止の台座として利用し組み立て、軽量小型のデジタルカメラ用小型雲台として簡単に組合せ利用可能となる。
【符号の説明】
【００２９】
１０  ねじ部材
１０ａ  ねじ軸
１０ｂ  軸部
１０ｃ  ボール
２０  制動部ケース
２１  押えカバー
２１ａ  天井部
２１ｂ  軸挿通口
２１ｃ  開口部
２１ｄ  Oリング
２１ｅ  ねじ挿通口
２２  ねじ部材受け座板
２２ａ  ボール受け球面座
２２ｂ  通口
３０  キャップ
３１  開口部
３１ａ  テーパー部
３２  底面部
３２ａ  凹部
３３  周側部
３３ａ  内面セレーション
３３ｂ  外面セレーション
３４  押さえ板
３５  止めねじ
４０  操作ハンドル
４０ａ  凹部
４１  弾性座板
BH  キャップ付きボールヘッド
【図１】
0003150491.tif 000003
【図２】
0003150491.tif 000004
【図３】
0003150491.tif 000005
【図４】
0003150491.tif 000006